(57)【特許請求の範囲】
【請求項１】
録音手段と、
前記録音手段で録音する際の録音時間を設定する設定手段と、
異なる複数の機能から任意の機能を選択する選択手段と、
前記録音手段によって録音された音を、前記機能に対応する動作音として再生する再生手段と、を有し、
前記複数の機能は、少なくとも一部の機能に対応する動作音の録音時間が他の機能に対応する動作音の録音時間と異なるように、機能ごとにそれぞれ対応する動作音の録音時間が予め決められており、
前記設定手段は、前記選択手段によって機能が選択されることにより、該選択された機能に対応する動作音の録音時間を設定することを特徴とする撮像装置。
【請求項２】
前記再生手段は、前記動作音を対応する機能の実行時に再生することを特徴とする請求項１に記載の撮像装置。
【請求項３】
前記複数の機能は、前記撮像装置を起動させる起動機能、操作部への入力に基づいて前記撮像装置を動作させる操作機能、前記撮像装置による撮影を行う撮影機能、撮影指示から所定時間後に撮影を開始させるセルフタイマー機能のうちの少なくとも２つを含むことを特徴とする請求項１又は２に記載の撮像装置。
【請求項４】
前記選択された機能に対応させて設定された録音時間で録音を行い録音された音を、前記選択された機能に対応する動作音として登録する登録手段を有することを特徴とする請求項１乃至３のいずれか１項に記載の撮像装置。
【請求項５】
前記複数の機能のそれぞれを示す情報を表示する表示手段を有し、
前記選択手段は、前記表示手段に表示された前記複数の機能のそれぞれを示す情報から任意の情報を選択することで、該選択された情報の示す機能を選択したものとすることを特徴とする請求項１乃至４のいずれか１項に記載の撮像装置。
【請求項６】
前記表示手段は、前記複数の機能のそれぞれを示す情報として、前記複数の機能にそれぞれ対応する動作音の項目を表示することを特徴とする請求項５に記載の撮像装置。
【請求項７】
前記動作音の項目は、起動音、操作音、シャッター音、セルフタイマー音のうちの少なくとも２つを含むことを特徴とする請求項６に記載の撮像装置。
【請求項８】
前記表示手段は、前記選択された情報とともに、該選択された情報の示す機能に対応させて設定される録音時間を表示することを特徴とする請求項５乃至７のいずれか１項に記載の撮像装置。
【請求項９】
録音手段と、
前記録音手段で録音する際の録音時間を設定する設定手段と、
異なる複数の機能から任意の機能を選択する選択手段と、
前記複数の機能に対応する動作音として、前記録音手段によって録音された音を再生する再生手段と、を有し、
前記複数の機能は、少なくとも一部の機能に対応する動作音の録音時間が他の機能に対応する動作音の録音時間と異なるように、機能ごとにそれぞれ対応する動作音の録音時間が予め決められており、
前記設定手段は、前記選択手段によって機能が選択されることにより、該選択された機能に対応する動作音の録音時間を設定することを特徴とする音処理装置。
【請求項１０】
録音ステップと、
前記録音ステップで録音する際の録音時間を設定する設定ステップと、
異なる複数の機能から任意の機能を選択する選択ステップと、
前記複数の機能に対応する動作音として、前記録音ステップで録音された音を再生する再生ステップと、を有し、
前記複数の機能は、少なくとも一部の機能に対応する動作音の録音時間が他の機能に対応する動作音の録音時間と異なるように、機能ごとにそれぞれ対応する動作音の録音時間が予め決められており、
前記設定ステップは、前記選択ステップで機能が選択されることにより、該選択された機能に対応する動作音の録音時間を設定することを特徴とする音処理方法。
【請求項１１】
録音ステップと、
前記録音ステップで録音する際の録音時間を設定する設定ステップと、
異なる複数の機能から任意の機能を選択する選択ステップと、
前記複数の機能に対応する動作音として、前記録音ステップで録音された音を再生する再生ステップと、を有し、
前記複数の機能は、少なくとも一部の機能に対応する動作音の録音時間が他の機能に対応する動作音の録音時間と異なるように、機能ごとにそれぞれ対応する動作音の録音時間が予め決められており、
前記設定ステップは、前記選択ステップで機能が選択されることにより、該選択された機能に対応する動作音の録音時間を設定することを特徴とする音処理方法をコンピュータに実行させることを特徴とするコンピュータプログラム。
【請求項１２】
請求項１１に記載のコンピュータプログラムを格納したことを特徴とするコンピュータ読み取り可能な記憶媒体。
【発明の詳細な説明】
【技術分野】
【０００１】
本発明は、撮像装置、及び撮像装置等に用いられる音処理装置、音処理方法、コンピュータプログラム、コンピュータ読み取り可能な記憶媒体に関する。
【背景技術】
【０００２】
従来、固体メモリ素子を有するメモリカードを記録媒体として、静止画像や動画像を記録再生する電子カメラは既に市販されており、カラー液晶パネル等の電子ファインダを備える電子カメラも販売されている。これらの電子カメラによれば、撮影前の画像を連続して表示して電子カメラの使用者が構図を決定することや、撮影した画像を再生表示して確認することが可能である。特に、撮影した画像を撮影直後に再生する機能は利便性が高く、電子カメラの使用者にとって有益な機能となっている。
【０００３】
また、デジタルカメラにおいても、静止画像のみならず動画像の撮影機能を持った製品も増えており、動画像の録画時間や画像サイズ等も向上している。このようなデジタルカメラの中には、マイクとスピーカを装備し、これらマイクとスピーカを利用した音声の録音・再生機能を持ったものもあり、アフレコや音声メモといった機能を有するものもある。
【０００４】
他方、デジタルカメラの起動音や操作音に電子音だけでなく、スピーカから各種効果音を鳴らす機種も出てきている。これらの機種では、セルフタイマーでシャッタを押す際に「はい、チーズ」、「パシャッ」といった効果音を用いて撮影することが可能である。
【発明の概要】
【発明が解決しようとする課題】
【０００５】
デジタルカメラの持つマイクとスピーカの機能を用い、録音した音声をデジタルカメラの操作音や起動音として利用することも可能となる。しかしながら、この場合、再生時間が極端に短いため、うまく録音することが難しいといった問題があった。アフレコ等で録音した音声を切り出して利用することも考えられるが、その場合は操作が複雑となりユーザによって分かりにくい機能となってしまう。
【０００６】
本発明は上記課題に鑑みてなされたもので、例えばデジタルカメラ等の撮像装置の操作音や起動音として音声を録音するような場合に、簡単な操作で録音可能とすることを目的とする。
【課題を解決するための手段】
【０００７】
本発明の撮像装置は、録音手段と、前記録音手段で録音する際の録音時間を設定する設定手段と、異なる複数の機能から任意の機能を選択する選択手段と、前記録音手段によって録音された音を、前記機能に対応する動作音として再生する再生手段と、を有し、前記複数の機能は、少なくとも一部の機能に対応する動作音の録音時間が他の機能に対応する動作音の録音時間と異なるように、機能ごとにそれぞれ対応する動作音の録音時間が予め決められており、前記設定手段は、前記選択手段によって機能が選択されることにより、該選択された機能に対応する動作音の録音時間を設定することを特徴とする。
【発明の効果】
【０００８】
以上述べたように本発明によれば、例えばデジタルカメラ等の撮像装置の操作音や起動音といった動作音として使用する音を録音する場合に、簡単な操作で録音することができる。
【図面の簡単な説明】
【０００９】
【図１】本実施形態の音声処理装置を含むデジタルカメラ等の撮像装置１００の構成を示す図である。
【図２】撮像装置１００の操作部材を説明するための図である。
【図３】音声処理動作の流れを示すフローチャートである。
【図４】音声を登録する場合の画面表示の一例を示す図である。
【図５】起動音を録音する場合の画面表示の一例を示す図である。
【図６】操作音を録音する場合の画面表示の一例を示す図である。
【発明を実施するための形態】
【００１０】
以下、図面を参照して、本発明にかかる実施の形態について説明する。
【００１１】
図１は、本実施形態の音処理装置を含むデジタルカメラ等の撮像装置１００の構成を示す図である。同図において、１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１２】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１３】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１５】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には電力消費を大幅に低減することができる。
【００１６】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１７】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１８】
４０は絞り機能を備えるシャッター１２を制御する露光制御部であり、フラッシュ４８と連携することによりフラッシュ調光機能も有するものである。４２は撮影レンズ１０のフォーカシングを制御する測距制御部、４４は撮影レンズ１０のズーミングを制御するズーム制御部、４６はバリアである保護部１０２の動作を制御するバリア制御部である。
【００１９】
４８はフラッシュであり、ＡＦ補助光の投光機能、フラッシュ調光機能も有する。露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００２０】
５０は全体を制御するシステム制御回路である。なお、本実施形態では、システム制御回路５０が主要構成要素となって、本発明でいう録音時間設定手段、録音開始受付手段、録音手段としての機能を発揮する。５２はシステム制御回路５０の動作用の定数、変数、プログラム等を記憶するメモリである。
【００２１】
５４はシステム制御回路５０でのプログラムの実行に応じて、文字、画像、音声等を用いて動作状態やメッセージ等を表示する液晶表示装置、スピーカ等の表示部であり、操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。
【００２２】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００２３】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００２４】
５６は電気的に消去・記録可能な不揮発性メモリであり、例えばＥＥＰＲＯＭ等が用いられる。
【００２５】
６０、６２、６４、６６、６８及び７０は、システム制御回路５０の各種の動作指示を入力するための操作部であり、スイッチやダイアル、タッチパネル、視線検知によるポインティング、音声認識装置等の単数或いは複数の組み合わせで構成される。
【００２６】
ここで、これらの操作部の具体的な説明を行う。６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。
【００２７】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００２８】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００２９】
６６は画像表示ＯＮ／ＯＦＦスイッチで、画像表示部２８のＯＮ／ＯＦＦを設定することができる。この機能により、光学ファインダ１０４を用いて撮影を行う際に、ＴＦＴ  ＬＣＤ等から成る画像表示部への電流供給を遮断することにより、省電力を図ることが可能となる。
【００３０】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００３１】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００３２】
７２はマイク、７４はスピーカである。８０は電源制御部で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３３】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００３４】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知部である。なお、本実施形態では記録媒体を取り付けるインタフェース及びコネクタを２系統持つものとして説明しているが、これらインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、ＰＣＭＣＩＡカードやＣＦ（コンパクトフラッシュ（Ｒ））カード等の規格に準拠したものを用いて構成して構わない。さらに、インタフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００３５】
１０２は、レンズ１０を含む撮像部を覆うことにより、撮像部の汚れや破損を防止するバリアである保護部である。
【００３６】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示等が設置されている。
【００３７】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００３８】
１１２は通信部１１０により他の機器と接続するコネクタ或いは無線通信の場合はアンテナである。
【００３９】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。
【００４０】
２１０はメモリカードやハードディスク等の記録媒体である。記録媒体２１０は、半導体メモリや磁気ディスク等から構成される記録部２１２、撮像装置１００とのインタフェース２１４、撮像装置１００と接続を行うコネクタ２１６を備えている。
【００４１】
図２は、撮像装置１００の操作部材を説明するための図である。電源ボタン３０１はデジタルカメラの起動と終了に用いる。メニューボタン３０２は撮影モードの変更や日付の設定、画像のプロテクトや削除といったメニューへ入るときに使用するボタンである。また、各種設定モードを終了する場合にも使用する。決定ボタン３０３は選択項目の決定に用いる。
【００４２】
表示ボタン３０４は画像に関する撮影情報の表示・非表示を切り替える。左ボタン３０５は選択項目を左に移動する場合や画像送りに用いる。右ボタン３０６は選択項目を右に移動する場合や画像送りに用いる。上ボタン３０７は選択項目を上に移動する場合に用いる。下ボタン３０８は選択項目を下に移動する場合に用いる。
【００４３】
シャッターボタン３１０は撮影モードで撮影する場合に利用するボタンである。モード切替スイッチ３１１は録画モードと再生モードを切り替える。液晶画面３１２は画像を確認しながら撮影する場合に用いられ、また撮影した画像の確認にも用いられる。
【００４４】
図３は、本実施形態の音声処理動作の流れを示すフローチャートである。録音を行う場合、まず録音する音声の録音時間を設定する（ステップＳ３０１）。この録音時間は記録メディアの空き容量によって変化することはなく、ＲＡＭ上の領域を利用するため対象となる音によって定められた固定値である。後述するように、録音する音声の用途として起動音、操作音、シャッター音、セルフタイマー音が設定され、それぞれの録音時間が予め設定されており、所望の用途を選択することにより録音時間を設定する。
【００４５】
録音時間を設定した後、ユーザは任意のタイミングで録音を開始する（ステップＳ３０２）。
【００４６】
録音開始がユーザの意思によって始められると、上記ステップＳ３０１にて設定された時間だけ音声を録音する（ステップＳ３０３）。その間、録音停止等の他の操作はできないようにし、設定された録音時間が経過するまで録音を実行する。
【００４７】
その後、録音された音声を登録するかどうかユーザが判断し（ステップＳ３０４）、登録する場合は、デジタルカメラ内の効果音の一つとして登録する（ステップＳ３０５）。
【００４８】
図４は、音声を登録する場合の液晶画面４０１（図２でいう液晶画面３１２）の表示例を示す。音声を登録する項目（音声の用途）として、起動音４０２、操作音４０３、シャッター音４０４、セルフタイマー音４０５が設定されている。これら項目から上ボタン３０７と下ボタン３０８で項目を移動し、登録したい項目まで移動させた後、決定ボタン３０３で録音画面に移行する。
【００４９】
図５は、起動音を録音する場合の液晶画面５０１（図２でいう液晶画面３１２）の表示例を示す。画面の下部に示すパネルには、録音ボタン５０２と、登録ボタン５０３と、録音時間が表示されるカウンタ５０４が表示される。左ボタン３０５と右ボタン３０６でボタンのフォーカスを移動し、決定ボタン３０３で実行する。録音前には登録ボタンは選択できなくなっている。
【００５０】
図６は、操作音を録音する場合の液晶画面６０１（図２でいう液晶画面３１２）の表示例を示す。操作音の場合、図５で説明した起動音の場合等に比べて録音時間が０．３秒と短く設定されており、その録音時間がカウンタ６０２に表示されている。
【００５１】
なお、図５、６に示した録音時の画面において、録音開始と登録の機能のみを持たせるようにした例を説明したが、この画面上で音声の再生やボリュームの調整等の機能を持たせるようにしてもよい。その場合、再生して録音内容を確認し、登録するかどうかを判断することが可能となる。
【００５２】
（その他の実施の形態）
上述した実施形態の機能を実現するべく各種のデバイスを動作させるように、該各種デバイスと接続された装置或いはシステム内のコンピュータに対し、上記実施形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００５３】
また、この場合、上記ソフトウェアのプログラムコード自体が上述した実施形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００５４】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５５】
また、コンピュータが供給されたプログラムコードを実行することにより、上述の実施形態の機能が実現されるだけでなく、そのプログラムコードがコンピュータにおいて稼働しているＯＳ（オペレーティングシステム）或いは他のアプリケーションソフト等と共同して上述の実施形態の機能が実現される場合にもかかるプログラムコードは本発明の実施形態に含まれることはいうまでもない。
【００５６】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施形態の機能が実現される場合にも本発明に含まれることはいうまでもない。
【００５７】
なお、上記実施形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。例えば、記録媒体２００及び２１０は、ＰＣＭＣＩＡカードやコンパクトフラッシュ（Ｒ）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。また、記録媒体２００及び２１０がメモリカードとハードディスク等が一体となった複合媒体であっても勿論問題無い。さらに、その複合媒体から一部が着脱可能な構成としても勿論問題無い。また、記録媒体２００及び２１０は撮像装置１００と分離していて任意に接続可能なものとして説明したが、いずれか或いは全ての記録媒体が撮像装置１００に固定したままとなっていても勿論問題無い。
【符号の説明】
【００５８】
１４      撮像素子
２４      画像表示メモリ
２８      画像表示部
３０      メモリ
５０      システム制御回路
５４      表示部
７２      マイク
７４      スピーカ
２００    記録媒体
２０１    記録媒体
【図１】
0004857358.tif 000002
【図２】
0004857358.tif 000003
【図３】
0004857358.tif 000004
【図４】
0004857358.tif 000005
【図５】
0004857358.tif 000006
【図６】
0004857358.tif 000007